(57)【要約】      （修正有）【課題】電線のねじれによる、摩耗が発生しないようにし、電線の被覆のはがれによる電気短絡の発生を防止することが可能な加熱調理器を提供する。【解決手段】下部本体の内部に設置されたドームの外壁２０２と、ドームの底面一側に垂直下方に設置された電線ねじれ防止垂直突起２０８との間に電線４００を設置し、電線のねじれと摩耗が発生しないようにする。また、下部本体と、下部本体の貫通孔を介して垂直上方に一定長さに設置された収容管１１０と、下部本体から間隔を置いて向かい合わせに設置されて下部本体に置かれた焼きプレートに熱を加える上部発熱体と、上部発熱体の中央下面に垂直下方に一定長さに設置され、収容管の中にスライド可能に挿入されて上部発熱体を垂直方向にスライドさせる貫通孔５００を備える位置調節管１１４と、収容管の径より大きく、位置調節管の下端部に設けられて、収容管の中に挿入された位置調節管の離脱を防止する離脱防止リング１１６と、を含む。【選択図】図５
0003193085.tif 000002
【実用新案登録請求の範囲】
【請求項１】
下部本体の内部に設置されたドームの外壁と、前記ドームの底面一側に垂直下方に設置された電線ねじれ防止垂直突起との間に電線を設置し、電線のねじれと摩耗が発生しないようにする電線固定手段を備えた加熱調理器。
【請求項２】
下部本体と、
前記下部本体の貫通孔を介して垂直上方に一定長さに設置された収容管を備えている電線固定手段と、
前記下部本体から間隔を置いて向かい合わせに設置されて前記下部本体に置かれた焼きプレートに熱を加える上部発熱体と、
前記上部発熱体の中央下面に垂直下方に一定長さに設置され、前記収容管の中にスライド可能に挿入されて前記上部発熱体を垂直方向にスライドさせる貫通孔を備えている位置調節管と、
前記収容管の径より大きく、前記位置調節管の下端部に設けられて、前記収容管の中に挿入された前記位置調節管の離脱を防止する離脱防止リングと、
を含むことを特徴とする、加熱調理器。
【請求項３】
前記電線固定手段は、
外壁に囲まれて、内部中央に貫通孔を備えているドームと、
前記ドームの前記貫通孔に連通するように前記ドームの上面に垂直上方に一定長さに設置される前記収容管と、
前記ドームの前記外壁の一側に形成された貫通溝と、
前記ドームの前記外壁から間隔を置いて前記ドームの底面一側に垂直下方に一定長さに設置されて、前記上部発熱体に接続された電線のねじれを防止する電線ねじれ防止垂直突起と、
前記電線を固定している固定部と、
を含むことを特徴とする、請求項２に記載の加熱調理器。
【考案の詳細な説明】
【技術分野】
【０００１】
本考案は、加熱調理器に関する。
【背景技術】
【０００２】
一般に、熱が渡されるメカニズムは、伝導（Ｃｏｎｄｕｃｔｉｏｎ）と対流（Ｃｏｎｖｅｃｔｉｏｎ）と輻射（Ｒａｄｉａｔｉｏｎ）に大別されるが、伝導熱は、主に固体により伝達されて、対流熱は、主に流体によって伝達される。
【０００３】
そして、輻射熱は、任意の発熱体の表面から電磁波の形態のエネルギーが放出される過程で熱が伝達されるものであり、媒質が存在しない状態でも熱が光の速度で放出され、輻射体まで直接伝達される。このような輻射熱の波長範囲は、赤外線から可視光線領域を経て、波長が最も短い紫外線の領域にまで達している。しかし、可視光線や紫外線に比べて遠赤外線と近、中赤外線のような赤外線の波長領域帯が最も強い熱作用を有することが知られている。
【０００４】
このように、従来にも赤外線を利用した調理用品が種々開発されている。例えば、国内の発明登録第１０−７７９２２５号には、外部が石英管で構成された赤外線ランプと、前記赤外線ランプの上部に設置された調理容器と、前記赤外線ランプの下に設置された反射板からなる赤外線肉焼き器が紹介されている。
【０００５】
このような赤外線肉焼き器は、赤外線ランプが調理容器を加熱し、この調理容器が肉の下部のみを焼く一方向加熱方式であり、肉が焦げないように引っ繰り返し続けなければならない不便さがあり、熱効率も落ちる。
【０００６】
また、国内実用新案登録第２０−３１４６０８号には、グリル上部に適当な距離を置いて、近赤外線ランプを設置し、このランプの上部には反射板を設置した肉焼き器が紹介されている。これらの肉焼き器は、グリルの上に載せられた肉に直接近赤外線を照射して肉を焼くので、肉の内部まで均一に焼ける長所がある。
【０００７】
しかし、前記の肉焼き器もランプから発射される近赤外線が肉の上部だけを焼く一方向加熱方式として、肉を引っ繰り返し続けなければならない不便さがあった。しかも、これらの赤外線を利用した調理容器の場合、調理容器に載せられた食品を焼く時間が遅れる問題点と共に、調理容器に載せられた食品を加熱するためには、長時間に渡って赤外線ランプを点灯させなければならないため、これによる電気代の増加によるコスト負担がさらに発生する問題点がある。
【０００８】
一方、本出願人は、従来調理器の問題点を解決しようと、特許出願第１０−２００９−０００６８１２号の双方向の加熱調理器を案出したことがあり、これは、下部構造を形成する台座と、前記台座の上面中央に縦方向に設置されている支持台と、前記台座の上部に取り外し可能に設置され、中央には前記支持台が貫通する中央孔が形成されている調理容器と、前記支持台の上段に設置されたカバーと、前記カバーの下部に設けられ、前記調理容器に向けて輻射熱（Ｒ）を放出する上部発熱体と、前記調理容器の底面に構成されて調理容器に直接熱を伝達する下部加熱部が含まれて構成され、前記調理容器は、前記上部発熱体から照射される輻射熱と、前記下部発熱体の直接加熱により熱く加熱され、食物は、前記上部発熱体の輻射熱と下部発熱体の直接加熱により上部と下部が同時に焼けるように構成されている。
【０００９】
従って、上部発熱体と下部発熱体によって食物の上部と内部を焼くことで、従来の一方向調理器に比べて熱効率が優れて、特に肉のような焼き物用食物を引っ繰り返し続けなくても焦がさず均一に焼けることができ、従って、調理過程から煙や臭いがほとんど出ない効果を期待している。
【００１０】
しかし、本出願人によって先出願された特許出願第１０−２００９−０００６８１２号の双方向の加熱調理器の場合、下部発熱体の上段に載せられた調理容器を洗浄するために、取り外したり、調理容器を下部発熱体の上段に載せる際に、上部発熱体を下部発熱体と連結されている支持台から取り外さなければ調理容器を下部発熱体に載せることができないで、使い勝手が低下する問題点がある。
【００１１】
つまり、調理容器の結合構造が、前記調理容器の内側中央に通孔された貫通孔を前記支持台の上部側から入れ込んで嵌める嵌め込み構造になっているため、調理容器を下部発熱体から取り外したり、または結合する際に必ず上部発熱体を先に取り外さなければならないため、使用性が低下して、不便な問題点がある。また、下部発熱体に容器を載せて使用する構造上の有利な点があるにもかかわらず、焼き物用やチゲ用やすき焼き用のような他の種類の食物を調理して食べるためには多様な調理容器を入れ替える必要があり、また、結合された容器を同時に使用し難いといった問題点がある。
【００１２】
前記問題点を解決するために、本出願人は、２００９年０５月１９日付け出願番号第１０−２００９−００４３４２０号（発明の名称：改良双方向加熱調理器）として出願したことがあり、請求の範囲は、「上部側に位置され、内部に輻射熱を放出する放熱部が構成された上部発熱体１１と、下部側に位置され、内部に加熱部が構成された下部発熱体１２と、前記上部発熱体１１と下部発熱体１２を連結するための支持台１３とで構成された双方向の加熱調理器において、前記下部発熱体１２の上段外周面に結合顎１４をさらに形成し、前記下部発熱体１２の結合顎１４に安着される第１結合溝２１が下部周囲部に沿って形成されて一側に切開された切開部２２が形成され、前記切開部２２と連結されて前記支持台１３の外面に接する第１支持顎２３が内側中央に形成された第１の容器部２０と前記第１の容器部２０の切開された切開部２２側に位置され前記下部発熱体１２の結合顎１４に安着される第２結合溝３１が下部側に形成され、内側に前記支持台１３の外面に接する第２支持顎３２が形成された第２容器部３０が含まれてなることを特徴とする改良双方向加熱調理器」である。
【先行技術文献】
【特許文献】
【００１３】
【特許文献１】韓国発明登録第１０−７７９２２５号
【特許文献２】韓国実用新案登録第２０−３１４６０８号
【特許文献３】韓国特許出願第１０−２００９−０００６８１２号
【特許文献４】韓国特許出願第１０−２００９−００４３４２０号
【考案の概要】
【考案が解決しようとする課題】
【００１４】
しかし、前記従来の改良双方向加熱調理器は、下部発熱体の内部に配置された上部発熱体に接続された電線が勝手に動く問題点があった。
【００１５】
それにより、下部発熱体の内部の底面に電線が摩擦されるだけでなく、摩擦により電線の被覆がはがれて電気短絡が発生し得る深刻な問題点があった。
【００１６】
そこで、本考案は、上記問題に鑑みてなされたものであり、本考案の目的は、電線固定手段を含むことにより、電線がねじれないようにすると共に、摩耗が発生しないようにし、その結果として電線の被覆のはがれによる電気短絡の発生を防止することが可能な、新規かつ改良された加熱調理器を提供することにある。
【００１７】
しかし、本考案の目的は、前記に記載された目的のために制限されず、言及されていない他の目的は、以下の記載から当業者に明確に理解できるであろう。
【課題を解決するための手段】
【００１８】
上記課題を解決するために、本考案のある観点によれば、下部本体と、前記下部本体の貫通孔を介して垂直上方に一定長さに設置された収容管を備えている電線固定手段と、前記下部本体から間隔を置いて向かい合わせに設置されて前記下部本体に置かれた焼きプレートに熱を加える上部発熱体と、前記上部発熱体の中央下面に垂直下方に一定長さに設置され、前記収容管の中にスライド可能に挿入されて前記上部発熱体を垂直方向にスライドさせる貫通孔を備えている位置調節管と、前記収容管の径より大きく、前記位置調節管の下端部に設けられて、前記収容管の中に挿入された前記位置調節管の離脱を防止する離脱防止リングと、を含むことを特徴とする、加熱調理器が提供される。
【００１９】
また、前記電線固定手段は、外壁に囲まれて、内部中央に貫通孔を備えているドームと、前記ドームの前記貫通孔に連通するように前記ドームの上面に垂直上方に一定長さに設置される前記収容管と、前記ドームの前記外壁の一側に形成された貫通溝と、前記ドームの前記外壁から間隔を置いて前記ドームの底面一側に垂直下方に一定長さに設置されて、前記上部発熱体に接続された電線のねじれを防止する電線ねじれ防止垂直突起と、前記電線を固定している固定部と、を含んでもよい。
【考案の効果】
【００２０】
以上で説明したように、本考案によれば、電線固定手段を含むことにより、電線がねじれないようにすると共に、摩耗が発生しないようにし、その結果として電線の被覆のはがれによる電気短絡の発生を防止する効果がある。
【図面の簡単な説明】
【００２１】
【図１】本考案に係る電線固定手段を備えた加熱調理器を示した図である
【図２】図１の電線固定手段を備えた加熱調理器の分解図である。
【図３】図１の本体内部に設置された電線固定手段を示した図である。
【図４】図３の電線固定手段の要部の分解図である。
【図５】図３の電線固定手段に電線が固定された状態を示した図である。
【考案を実施するための形態】
【００２２】
以下、本考案に係る電線固定手段を備えた加熱調理器の好ましい実施形態を説明する。
【００２３】
本考案を説明するに当たり、関連した公知機能や構成に関する具体的な説明が本考案の要旨を不要に曖昧にすると判断される場合には、その詳細な説明を省略する。
【００２４】
図１は、本考案に係る電線固定手段を備えた加熱調理器を示した図であり、図２は、図１の電線固定手段を備えた加熱調理器の分解図であり、図３は、図１の本体内部に設置された電線固定手段を示した図であり、図４は、図３の電線固定手段の要部の分解図である。
【００２５】
図１〜図４に示すように、本考案に係る電線固定手段を備えた加熱調理器１００は、容器９６と鉄板９８からなる焼きプレート１０２と、前記焼きプレート１０２が置かれるようにし、内部中央に貫通孔１０３を備えると共に、油排出孔１０４と温度調節スイッチ１０６を備える下部本体１０８と、前記下部本体１０８の貫通孔１０３を介して垂直上方に一定長さに設置された収容管１１０を備えている電線固定手段１１１と、前記下部本体１０８から間隔を置いて向かい合わせに配置されて前記下部本体１０８に置かれた焼きプレート１０２に熱を加える上部発熱体１１２と、前記上部発熱体１１２の中央下面に垂直下方に一定長さに設置され、前記収容管１１０の中にスライド可能に挿入されて前記上部発熱体１１２を垂直方向にスライドさせる貫通孔５００を備えている位置調節管１１４と、前記収容管１１０の径より大きく、位置調節管１１４の下端部に設けられ、前記収容管１１０の中に挿入された位置調節管１１４の離脱を防止する離脱防止リング１１６と、を含む。なお、焼きプレート１０２、下部本体１０８、及び上部発熱体１１２は円形の形状に限定されるものではなく、楕円形又は多角形の形状であってもよい。
【００２６】
ここで、前記電線固定手段１１１は、外壁２０２に囲まれて、内部中央に貫通孔２０３を備えている半円形のドーム２０４と、前記ドーム２０４の貫通孔２０３に連通するように、前記ドーム２０４の上面に垂直上方に一定長さに設置される収容管１１０と、前記ドーム２０４の外壁２０２の一側に形成された貫通溝２０６と、前記ドーム２０４の外壁２０２から間隔を置いて前記ドーム２０４の底面一側に垂直下方に一定長さに形成されて、上部発熱体に接続された電線４００がねじれないようにするとともに、摩耗が発生しないようにする電線ねじれ防止垂直突起２０８と、前記ドーム２０４の貫通溝２０６を貫通して前記位置調節管１１４の貫通孔５００に配置された電線４００を固定している固定部２１０と、を含む。ここで、ドームの形状は半円形に限定されるものではなく、円形、楕円形又は多角形の形状であってもよい。尚、前記収容管１１０の上端部内周縁には、固定突起（図示せず）が設置されており、前記固定突起は、スプリング（図示せず）の動きによって収容管１１０の内周縁に出入りする動作を行う。
【００２７】
一方、前記位置調節管１１４の外面の両側には、垂直方向に間隔をおいて固定溝３００が設置される。
【００２８】
ここで、収容管１１０に設置された固定突起は、スプリングの復元力により前記位置調節管１１４に設置された固定溝３００を押すことにより、位置調節管１１４を固定することができる。また、固定突起に押される固定溝３００を他の位置の固定溝３００へ変更することにより、位置調節管１１４の垂直方向の位置調節が可能となる。
【００２９】
一方、図１に示された焼きプレート１０２は、図２に示すように、容器９６と油排出孔（図示せず）を備えている鉄板９８に分けられる。
【００３０】
前記のように構成された本考案に係る電線固定手段を備えた加熱調理器１００の組立工程や使用状態を説明すると次の通りである。
【００３１】
ここで、前記本考案に係る電線固定手段を備えた加熱調理器１００の組立工程は、作業者によって組立順序は変更されてもよい。
【００３２】
まず、電線固定手段を組み立てる過程をみると、外壁２０２に囲まれて、内部中央に貫通孔２０３を備えているドーム２０４を設置した後、前記ドーム２０４の貫通孔２０３に連通するように前記ドーム２０４の上面に垂直上方に一定長さの収容管１１０を設置し、前記ドーム２０４の外壁２０２の一側に貫通溝２０６を形成し、前記ドーム２０４の外壁２０２から間隔をおいて前記ドーム２０４の底面一側に垂直下方に一定長さの電線ねじれ防止垂直突起２０８を設置し、前記ドーム２０４の底面に固定部２１０を設置する。
【００３３】
ここで、前記収容管１１０の上端部内周縁にスプリングを設置した後、前記スプリングの一端に固定突起を設置する。前記固定突起は、スプリングの動きによって、収容管１１０の内周縁に出入りする動作を行う。
【００３４】
そして、前記のように、電線固定手段１１１の組み立てが完了したら、固定溝３００及び貫通孔５００を備えている位置調節管１１４を設置する。
【００３５】
そして、前記位置調節管１１４を収容管１１０の中に挿入させた後、前記収容管１１０の径より大きい離脱防止リング１１６を前記の位置調節管１１４の下端部に設置する。そして、上部発熱体に接続する電線４００を設置した後、前記電線４００を電線固定手段のドーム２０４の外壁に設置された貫通溝２０６に通過させる。そして、貫通溝２０６を通過した電線４００を外壁２０２と電線ねじれ防止垂直突起２０８との間に設置した後、前記電線４００を位置調節管１１４の貫通孔５００に設置する。そして、前記電線の固定手段１１１の固定部２１０を設置した後、ネジを用いて電線４００を固定部２１０に固定する。
【００３６】
前記のようにドーム２０４の底面に、図５に示すように、電線４００が固定された電線固定手段１１１を下部本体１０８の内部の底面に設置する。そして、ネジを利用して前記電線固定手段１１１を下部本体１０８の内部の底面に固定する。
【００３７】
そして、上部発熱体１１２を設置した後、前記位置調節管１１２から突出している電線４００を前記上部発熱体１１２の一側に接続すると共に、前記上部発熱体１１２の底面中央に固定溝３００を備えている位置調節管１１４を設置する。
【００３８】
そして、前記焼きプレート１０２を容器９６と鉄板９８に分離させた後、前記容器９６を下部本体１０８の上面に設置すると共に、前記鉄板９８を下部本体１０８の上面に設置する。
【００３９】
前記のように本考案に係る電線固定手段を備えた加熱調理器１００の組立工程が完了すると、位置調節管１１４を下側にスライドさせようとする場合には、上部発熱体１１２を下側に押す。そして、前記位置調節管１１４を上側にスライドさせようとする場合には、上部発熱体１１２を上側に引く。
【００４０】
従って、前記位置調節管１１４は、垂直方向にスライドさせても、貫通溝２０６を通過した電線４００は、外壁２０２と電線ねじれ防止垂直突起２０８との間に位置しているので、ねじれることがない。これにより、前記電線４００に摩耗が発生しない。
【００４１】
以上、添付図面を参照しながら本考案の好適な実施形態について詳細に説明したが、本考案はかかる例に限定されない。本考案の属する技術の分野における通常の知識を有する者であれば、実用新案登録請求の範囲に記載された技術的思想の範疇内において、各種の変更例または修正例に想到し得ることは明らかであり、これらについても、当然に本考案の技術的範囲に属するものと了解される。
【符号の説明】
【００４２】
１００      加熱調理器
１０２      焼きプレート
１０４      油排出孔
１０６      温度調節スイッチ
１０８      本体
１１０      収容管
１１１      電線固定手段
１１２      上部発熱体
１１４      位置調節管
１１６      離脱防止リング
２０４      ドーム
２０６      貫通溝
２０８      電線ねじれ防止垂直突起
２１０      固定部
３００      固定溝
【図１】
0003193085.tif 000003
【図２】
0003193085.tif 000004
【図３】
0003193085.tif 000005
【図４】
0003193085.tif 000006
【図５】
0003193085.tif 000007
【手続補正書】
【提出日】平成26年7月14日(2014.7.14)
【手続補正１】
【補正対象書類名】実用新案登録請求の範囲
【補正対象項目名】全文
【補正方法】変更
【補正の内容】
【実用新案登録請求の範囲】
【請求項１】
下部本体の内部に設置されたドームの外壁と、前記ドームの底面一側に垂直下方に設置された電線ねじれ防止垂直突起との間に電線を設置し、電線のねじれと摩耗が発生しないようにする電線固定手段を備えた加熱調理器。
【請求項２】
前記下部本体と、
前記下部本体の貫通孔を介して垂直上方に一定長さに設置された収容管を備えている前記電線固定手段と、
前記下部本体から間隔を置いて向かい合わせに設置されて前記下部本体に置かれた焼きプレートに熱を加える上部発熱体と、
前記上部発熱体の中央下面に垂直下方に一定長さに設置され、前記収容管の中にスライド可能に挿入されて前記上部発熱体を垂直方向にスライドさせる貫通孔を備えている位置調節管と、
前記収容管の径より大きく、前記位置調節管の下端部に設けられて、前記収容管の中に挿入された前記位置調節管の離脱を防止する離脱防止リングと、
を含むことを特徴とする、請求項１に記載の加熱調理器。
【請求項３】
前記電線固定手段は、
外壁に囲まれて、内部中央に貫通孔を備えている前記ドームと、
前記ドームの前記貫通孔に連通するように前記ドームの上面に垂直上方に一定長さに設置される前記収容管と、
前記ドームの前記外壁の一側に形成された貫通溝と、
前記ドームの前記外壁から間隔を置いて前記ドームの底面一側に垂直下方に一定長さに設置されて、前記上部発熱体に接続された電線のねじれを防止する前記電線ねじれ防止垂直突起と、
前記電線を固定している固定部と、
を含むことを特徴とする、請求項２に記載の加熱調理器。